(57)【要約】      （修正有）【課題】治療補助用包帯が歩行中も常に足指間にしっかりと保持され、抜けたり脱落することなく常に足指間に着用することができ、指間に発生する汗等の湿度の吸収および治療薬の拡散を防止する。【解決手段】ガーゼの中央部２に足指の入る孔４または切り込みを設け、ガーゼの下端部３に凸形状部５を形成するガーゼを取り付けた治療補助用包帯。本発明の治療用包帯は、足指の下側でその厚みのある凸形状部５を掴むようにして押さえ込むことができるので、それにより治療用包帯が歩行中も脱落しない。凸部の形状を形成するには、ガーゼ、布の増加等によりできるが、他にも柔らかい軟質樹脂、綿類、紙質類等をガーゼの中に挿入又はガーゼに取り付けることによりできる。【選択図】図１
2006255384.tif 000002
【特許請求の範囲】
【請求項１】
シート状のガーゼの中央部（２）に足指が各々個別に入る切り込み（６）を設け、ガーゼの下端部（３）の片面側に、ガーゼによる凸形状部（５）を設けたことを特徴とする治療補助用包帯。
（０００１）
【請求項２】
シート状にした本発明の治療補助用包帯を横方向に帯状に延長して、多数のシート状態が成ることを特徴とする請求項１記載の治療補助用包帯。
（０００２）
【請求項３】
ガーゼの下端部（３）の片面側に、通気性を有する柔らかい軟質樹脂（７）を取りつけたことを特徴とする請求項１記載の治療補助用包帯。
（０００３）
【請求項４】
ガーゼの下端部（３）の片面側に、吸湿性のある紙質材をガーゼを取り付けたたことを特徴とする請求項１記載の治療補助用包帯。
（０００４）
【発明の詳細な説明】
【技術分野】この発明は、主として足の指間に発生する皮膚病である水虫の指間用包帯に関するものである。
【背景技術】
【０００１】従来、足の指間に発生する皮膚病である水虫の治療用としては足の各指に入る５本指靴下があり広く一般に知られ着用されている。
足の指間に発生する水虫の治療や切り傷に対して、湿度は治療を妨げる恐れがあるため治療の有効性を図る治療補助用包帯として日常着用できるものはなかった。
【発明の開示】
【０００２】包帯関係
【発明が解決しようとする課題】
【０００３】従来、足の指間に発生する水虫の治療は、通常５本指靴下が広く知られ着用していたが、治療に不必要な指まで覆う必要があり不便であった。
水虫や切り傷などの一般的な治療方法としては、足指を１本、１本ガーゼで巻き治療する方法があるが、これは大変手間がかかっていた。
また、足指間にガーゼや布を当てたり、或いは布シートに孔、または切り込みを設けてそれへ足指を挿入して装着するシート状のものなどは、歩行中は足の前後運動によりシートが足指から抜けて脱落する不備があった。
これは、歩行中、シートが足指間に保持できないためである。
【課題を解決するための手段】
【０００４】本発明は、それらの課題を解決するためになされたもので、シート状のガーゼの中央部（２）に足の各指が個別に挿入される切り込み（６）または、孔（４）を設け、ガーゼの下端部（３）に厚みをもたせガーゼによる凸形状部（５）を形成することを特徴とする治療補助用包帯である。
【発明の効果】
【０００５】本発明の治療補助用包帯は、これを着用する時はガーゼの中央部にある孔（４）に足の各指を挿入して、ガーゼの下端部（３）が足の各指の下側になるように着用する。本発明の治療補助用包帯は、足指の下側でその厚みのあるガーゼによる凸形状部（５）を掴むようにして押さえ込むことができるようにしたものであるのでので、それにより治療補助用包帯が歩行中も常に足指間にしっかりと保持され、抜けたり脱落することなく常に足指間に着用することができる。
ガーゼによる凸形状部（５）を設けたことにより歩行中の足指からの脱落防止と、指間に発生する汗等の湿度の吸収および治療薬の拡散防止などがあり、指間に発生した水虫だけでなく、切り傷や火傷等の治療にも役立つものである。
そのため、この治療補助用包帯を着用すれば治療に必要な指間の患部を重点的に治療することができる。
また、本発明はコストが安価にできるため、使い捨ても可能で極めて衛生的に治療ができるものである。
【発明を実施するための最良の形態】
【０００６】本発明は、シート状のガーゼの中央部（２）に足指が各々個別に入る孔（４）を設け、シート状のガーゼの片面側にガーゼの下端部（３）を延長したガーゼを折り込む、または厚手の布等を取り付けることにより、ガーゼによる凸形状部（５）を形成する治療補助用包帯。
【実施例１】
【０００７】本発明は、シート状のガーゼの中央部（２）に足指が各々個別に入る孔（４）を設け、シート状のガーゼの片面側にガーゼの下端部（３）を延長したガーゼを折り込み、ガーゼによる凸形状部（５）を形成する治療補助用包帯である。
【図１】
斜視図に、本発明のシート状の治療補助用包帯の実施例を示す。
本発明の治療補助用包帯を着用するに際しては、ガーゼ下端部（３）の片面側にガーゼによる凸形状部（５）が形成され、それが足指の下になるようにして孔（４）の部分に足の各指を挿入する。ガーゼに足指を各々個別に挿入する部位の形状としては、ガーゼに切り込み（６）を設ける方法と、孔（４）を設ける方法がある。
凸形状部（５）を形成するには、ガーゼの折込みによる方法があるが、ガーゼや厚めの布を取り付ける方法もある。
その形状としては、
【図３】
に示すように凸形状部をガーゼ、布等により丸くすることもできる。この治療補助用包帯の孔（４）と孔（４）の間の中央部（２）にミシン目のような穴を点線状に入れておけば任意の位置でカットして使用する際に便利である。
着用中は足指の下側で、その厚みのある凸形状部（３）を掴むようにして押さえ込むことができるので、それにより治療補助用包帯が歩行中に抜けないので脱落しない。
凸形状部（５）を設けたことにより、靴をはいても歩行中に足指からの脱落防止ができ、指間に発生する汗等の吸収および治療薬の拡散防止ができ、指間に発生した水虫や切り傷等の治療に効果がある。
【実施例２】
【０００８】実施例１に示す本発明の治療補助用包帯はシート状にしたものであるが、これを横方向に帯状に延長して通常の包帯のようにロール巻きの状態にすれば多数のシート状を有するものになる。
使用者は治療に必要な指の本数分だけの長さで任意の位置でカットして使用すれば、２本指用でも３本指用でも任意の形にできて使用できる。
【実施例３】
【０００９】ガーゼの下端部（３）に通気性を有する柔らかい軟質の樹脂（７）を取りつけた治療補助用包帯。通気性を有す柔らかい軟質の樹脂（７）を薄くすることにより凸形状部の厚みを減少させ薄くすることができる。
柔らかい軟質の樹脂には、例としてスポンジやウレタンなどがある。
【図４】
斜視図にその実施例を示す。
また、やや厚めの粘着テープを取り付ける方法もある。
【実施例４】
【００１０】ガーゼの下端部（３）に吸湿性を有する板状の紙質類（８）を取り付けた治療包帯で、指間の汗等による吸湿性に効果がある。
【実施例５】
【００１１】ガーゼの中に吸湿性の綿を入れた治療用補助用包帯とすることにより指間に発生する汗等の吸湿性をさらに向上させることができる。
【実施例６】
【００１２】ガーゼの上端部（１）及び下端部（３）に粘着テープを貼り付けたることにより足と治療用包帯の保持を更に高めることができる。この粘着テープは通常両面テープを用いる。
【実施例７】
【００１３】ガーゼの中央部（２）の指間に当たる部位に治療薬を浸透させた布（６）を張り付けた治療用包帯にすることにより、治療薬の塗布の手間を省略できる。
【実施例８】
【００１４】ガーゼの上端部（１）及び下端部（３）の厚みを、ガーゼの中央部（２）より厚くしたことを特徴とする治療包帯にすることにより、足指上面の吸湿性の向上と治療帯の足への保持性を高めることができる。
【実施例９】
【００１５】柔軟な伸縮性のある布を用いることにより、通常のガーゼに較べて足への取り付けを更に密着性を高めた治療補助用包帯とすることができる。
【図面の簡単な説明】
【００１６】
【図１】は本発明の斜視図である
【図２】は本発明の断面図である
【図３】は図２の凸形状部（５）を丸い形状とした断面図である
【図４】は本発明の斜視図である
【図５】は本発明の着用図である（足；側面図）
【図６】は本発明の着用図である（足；上面図）
【符号の説明】
【００１７】  （１）・・・・・・ガーゼの上端部
（２）・・・・・・ガーゼの中央部
（３）・・・・・・ガーゼの下端部
（４）・・・・・・孔
（５）・・・・・・ガーゼによる凸形状部
（６）・・・・・・切り込み
（７）・・・・・・柔らかい軟質樹脂
【００１８】
【図１】
2006255384.tif 000003
【図２】
2006255384.tif 000004
【図３】
2006255384.tif 000005
【図４】
2006255384.tif 000006
【図５】
2006255384.tif 000007
【図６】
2006255384.tif 000008